(57)【要約】【課題】オペレーターの作業量を低減すること。【解決手段】設定入力補助装置は、被記録媒体に印刷を施す印刷機本体に設けられて、前記印刷機本体を構成する一部である設定対象を撮像するカメラと、前記設定対象を制御するために必要な情報を表示する少なくとも１つの表示部１２０と、を含んで構成され、表示部１２０に設定ボタンを表示し、設定ボタンが操作された際に取得する信号である設定操作開始信号を取得すると、前記表示部１２０に、前記設定対象の映像を表示する設定対象映像表示部１３６と、前記設定対象を制御するための設定値の入力を補助する画像を表示する設定操作補助域１４７と、を前記表示部１２０に表示する。【選択図】図５
2010188722.tif 000002
【特許請求の範囲】
【請求項１】
被記録媒体に印刷を施す印刷機本体に設けられて、前記印刷機本体を構成する一部である設定対象を撮像するカメラと、
前記設定対象を制御するために必要な情報を表示する少なくとも１つの表示部と、
が接続される設定入力補助装置であって、
前記設定入力補助装置は、
前記設定対象の設定をこれから開始する操作を補助する画像が表示される設定開始操作補助域を前記表示部に表示し、
前記設定対象の設定をこれから開始する操作に基づいて、
前記設定対象の映像と、
前記設定対象を制御するための設定値の入力を補助する画像を表示する設定操作補助域と、
を前記表示部に表示することを特徴とする設定入力補助装置。
【請求項２】
前記設定入力補助装置は、
前記設定対象の設定をこれから開始する操作がなされると、設定操作開始信号を取得し、
前記設定操作開始信号を取得すると、
前記設定対象の映像と、
前記設定操作補助域と、
を前記表示部に表示することを特徴とする請求項１に記載の設定入力補助装置。
【請求項３】
前記設定対象は複数存在し、
前記カメラは、複数の前記設定対象にそれぞれ設けられ、
前記複数の前記設定対象のうちの１つである特定設定対象の設定をこれから開始する際に取得する信号であって、前記設定操作開始信号の１つである特定設定操作開始信号を取得すると、
前記特定設定対象の映像と、
前記設定操作補助域として、前記特定設定対象を制御するための設定値の入力を補助する画像を表示する特定設定操作補助域と、
を前記表示部に表示することを特徴とする請求項２に記載の設定入力補助装置。
【請求項４】
前記設定操作開始信号を取得すると、
あらかじめ設定された前記設定値を選択する部分であるプリセット選択部を前記表示部に表示することを特徴とする請求項２または請求項３に記載の設定入力補助装置。
【請求項５】
情報を記憶する記憶手段を備え、
前記カメラが撮像した映像のうちの少なくとも一部を記憶手段に格納することを特徴とする請求項２から請求項４のいずれか一項に記載の設定入力補助装置。
【請求項６】
前記カメラが撮像した映像のうちの少なくとも一部を、前記設定入力補助装置が接続される通信回線を介して前記設定入力補助装置の外部に提供することを特徴とする請求項２から請求項５のいずれか一項に記載の設定入力補助装置。
【請求項７】
前記印刷機本体を構成し、前記被記録媒体に印刷を施す印刷部は、
前記被記録媒体の被記録面を反転させる反転部と、
前記反転部を走行する前記被記録媒体に向かって空気を噴出する反転部用空気噴出装置と、
を含んで構成され、
前記カメラは、反転部の部分のうち、前記反転部用空気噴出装置が噴出する前記空気が導かれる部分を撮像し、
前記設定入力補助装置は、前記反転部用空気噴出装置が噴出する前記空気の流量を調節するための信号であって、前記設定操作開始信号の１つである反転部用空気噴出装置設定操作信号を取得すると、
前記反転部用空気噴出装置が噴出する前記空気が導かれる部分の映像と、
前記反転部用空気噴出装置を制御して前記流量を調節するための設定値を入力する部分である流量設定用の前記設定操作補助域と、
を前記表示部に表示することを特徴とする請求項２から請求項６のいずれか一項に記載の設定入力補助装置。
【請求項８】
前記記憶手段は、複数の被記録媒体が順次走行する様子が撮像された映像から、特定の被記録媒体が撮像された部分を抽出するための特定情報を格納することを特徴とする請求項５に記載の設定入力補助装置。
【請求項９】
前記複数の被記録媒体の中から特定の被記録媒体を指定する操作がなされると、前記特定情報に基づいて、前記カメラが撮像した映像から前記特定の被記録媒体が撮像された部分を抽出し、前記特定の被記録媒体が撮像された部分の映像を前記表示部に表示させることを特徴とする請求項８に記載の設定入力補助装置。
【請求項１０】
前記カメラが複数設けられ、
前記複数の被記録媒体の中から特定の被記録媒体を指定する操作がなされると、前記特定情報に基づいて、前記カメラが撮像した映像から前記特定の被記録媒体が撮像された部分を前記カメラ毎に特定し、前記特定の被記録媒体が撮像された部分の映像を前記カメラ毎に前記表示部に表示させることを特徴とする請求項９に記載の設定入力補助装置。
【請求項１１】
前記特定の被記録媒体が撮像された部分の映像を前記表示部に表示させる際、前記特定の被記録媒体が撮像された時の印刷条件を前記表示部に表示させることを特徴とする請求項９または請求項１０に記載の設定入力補助装置。
【請求項１２】
前記カメラが撮像した映像を記憶する記憶手段を備え、
前記プリセット選択部に表示されている前記設定値のリストのうちの特定の設定値が選択されると、選択された設定値で被記録媒体が前記印刷機本体を走行した際に前記カメラが撮像した映像を、前記記憶手段から取得して前記表示部に表示させることを特徴とする請求項４に記載の設定入力補助装置。
【請求項１３】
前記選択された設定値で被記録媒体が前記印刷機本体を走行した際に前記カメラが撮像した映像と共に、前記カメラが現在撮像している映像を前記表示部に表示させることを特徴とする請求項１２に記載の設定入力補助装置。
【請求項１４】
前記プリセット選択部に表示される前記リストに含まれる複数の前記設定値を印刷条件に基づいて並べ替えて前記表示部に表示させることと、
前記複数の前記設定値に対して前記印刷条件で絞り込み検索を行い、前記絞り込み検索で該当した設定値を前記表示部に表示させることと、
のうちの少なくとも１つを実行することを特徴とする請求項４または請求項１２に記載の設定入力補助装置。
【請求項１５】
前記印刷条件は、被記録媒体が前記印刷機本体を走行する速度と、前記被記録媒体の平面寸法と、前記被記録媒体の厚さと、前記被記録媒体の種類と、前記印刷機本体が前記被記録媒体に印刷を施す際に用いられる色数と、のうちの少なくとも１つであることを特徴とする請求項１４に記載の設定入力補助装置。
【請求項１６】
被記録媒体に印刷を施す印刷機本体に設けられて、前記印刷機本体を構成する一部である設定対象を撮像するカメラと、
前記設定対象を制御するために必要な情報を表示する少なくとも１つの表示部と、
が接続される印刷機制御装置であって、
前記印刷機制御装置は、
前記設定対象の設定をこれから開始する操作を補助する画像が表示される設定開始操作補助域を前記表示部に表示し、
前記設定対象の設定をこれから開始する操作に基づいて、
前記設定対象の映像と、
前記設定対象を制御するための設定値の入力を補助する画像を表示する設定操作補助域と、
を前記表示部に表示することを特徴とする印刷機制御装置。
【請求項１７】
被記録媒体に印刷を施す印刷部と、
前記印刷部に前記被記録媒体を供給する給紙部と、
前記被記録媒体の被記録面を反転させる反転部と、
前記印刷部で印刷が施された前記被記録媒体を排出する排紙部と、
前記印刷部と、前記給紙部と、前記反転部と、前記排紙部とのうち少なくとも１つに設けられて設定対象を撮像するカメラと、
前記設定対象を制御するために必要な情報を表示する少なくとも１つの表示部と、
が接続される印刷機であって、
前記印刷機は、
前記設定対象の設定をこれから開始する操作を補助する画像が表示される設定開始操作補助域を前記表示部に表示し、
前記設定対象の設定をこれから開始する操作に基づいて、
前記設定対象の映像と、
前記設定対象を制御するための設定値の入力を補助する画像を表示する設定操作補助域と、
を前記表示部に表示することを特徴とする印刷機。
【発明の詳細な説明】
【技術分野】
【０００１】
本発明は、印刷機本体の設定の入力を補助する設定入力補助装置及び、前記設定入力補助装置を含んで構成されて印刷機本体を制御する印刷機制御装置ならびに、前記設定入力補助装置を含んで構成される印刷機に関するものである。
【背景技術】
【０００２】
従来、オペレーターが印刷機制御装置を操作して印刷機本体を制御するために必要な情報を表示する表示部を含んで構成される印刷機制御装置がある。例えば、特許文献１には、通常使用時用のモニターと、異常時用のモニターとが分けて設けられることで、通常使用時に見易く、異常時メンテナンスの容易なモニター装置が開示されている。
【先行技術文献】
【特許文献】
【０００３】
【特許文献１】実開平５−１６３１０号公報
【発明の概要】
【発明が解決しようとする課題】
【０００４】
ここで、一般的に、オペレーターが印刷機制御装置を操作して、印刷機本体の各部を制御する場合、オペレーターは、制御しようとする印刷機本体の部位を目視して確認しながら、印刷機制御装置を操作する必要がある場合がある。
【０００５】
例えば、印刷機本体には、空気を被記録媒体に吹き付ける空気噴出装置がある。オペレーターは、印刷機制御装置を操作することで、被記録媒体に吹き付ける空気を調節する。しかしながら、被記録媒体に吹き付ける空気の流量を調節する際には、オペレーターは、印刷機制御装置から離れて、実際に空気噴出装置を目視する必要がある。
【０００６】
特許文献１の技術でも、印刷機本体の各部を操作する際、オペレーターは、印刷機制御装置から離れて、制御する対象の装置を実際に目視して確認しつつ、印刷機制御装置を操作する必要がある。
【０００７】
これにより、従来の技術では、印刷機本体を制御するために、印刷機制御装置を操作する第１のオペレーターと、制御する対象の装置を目視して、制御する対象の装置の様子を第１のオペレーターに伝える第２のオペレーターとの２人のオペレーターが必要になる場合がある。
【０００８】
または、従来の技術では、１人のオペレーターで印刷機本体を制御する場合は、印刷機制御装置を操作する手順と、印刷機制御装置から離れて、制御する対象の装置を目視して制御する対象の装置の様子を確認する手順と、の２つの手順を繰り返しオペレーターが実行する必要がある。
【０００９】
以上のように、従来の印刷機制御装置では、印刷機本体を制御するために必要なオペレーターの作業量を十分には低減できていない。
【００１０】
本発明は、上記に鑑みてなされたものであって、オペレーターの作業量を低減することを目的とする。
【課題を解決するための手段】
【００１１】
上述した課題を解決し、目的を達成するために、本発明に係る設定入力補助装置は、被記録媒体に印刷を施す印刷機本体に設けられて、前記印刷機本体を構成する一部である設定対象を撮像するカメラと、前記設定対象を制御するために必要な情報を表示する少なくとも１つの表示部と、が接続される設定入力補助装置であって、前記設定入力補助装置は、前記設定対象の設定をこれから開始する操作を補助する画像が表示される設定開始操作補助域を前記表示部に表示し、前記設定対象の設定をこれから開始する操作に基づいて、前記設定対象の映像と、前記設定対象を制御するための設定値の入力を補助する画像を表示する設定操作補助域と、を前記表示部に表示することを特徴とする。
【００１２】
上述した課題を解決し、目的を達成するために、本発明に係る印刷機制御装置は、被記録媒体に印刷を施す印刷機本体に設けられて、前記印刷機本体を構成する一部である設定対象を撮像するカメラと、前記設定対象を制御するために必要な情報を表示する少なくとも１つの表示部と、が接続される印刷機制御装置であって、前記印刷機制御装置は、前記設定対象の設定をこれから開始する操作を補助する画像が表示される設定開始操作補助域を前記表示部に表示し、前記設定対象の設定をこれから開始する操作に基づいて、前記設定対象の映像と、前記設定対象を制御するための設定値の入力を補助する画像を表示する設定操作補助域と、を前記表示部に表示することを特徴とする。
【００１３】
上述した課題を解決し、目的を達成するために、本発明に係る印刷機は、被記録媒体に印刷を施す印刷部と、前記印刷部に前記被記録媒体を供給する給紙部と、前記被記録媒体の被記録面を反転させる反転部と、前記印刷部で印刷が施された前記被記録媒体を排出する排紙部と、前記印刷部と、前記給紙部と、前記反転部と、前記排紙部とのうち少なくとも１つに設けられて設定対象を撮像するカメラと、前記設定対象を制御するために必要な情報を表示する少なくとも１つの表示部と、が接続される印刷機であって、前記印刷機は、前記設定対象の設定をこれから開始する操作を補助する画像が表示される設定開始操作補助域を前記表示部に表示し、前記設定対象の設定をこれから開始する操作に基づいて、前記設定対象の映像と、前記設定対象を制御するための設定値の入力を補助する画像を表示する設定操作補助域と、を前記表示部に表示することを特徴とする。
【００１４】
ここで、前記設定入力補助装置は、前記設定対象の設定をこれから開始する操作がなされると、設定操作開始信号を取得し、前記設定操作開始信号を取得すると、前記設定対象の映像と、前記設定操作補助域と、を前記表示部に表示することが望ましい。
【００１５】
上記構成により、本発明に係る設定入力補助装置及び印刷機制御装置ならびに印刷機を用いれば、オペレーターは、設定入力補助装置から離れずに、手元で設定対象の映像を確認しながら、設定値を設定操作補助域に入力して制御対象の設定を行うことができる。よって、本発明に係る本発明に係る設定入力補助装置及び印刷機制御装置ならびに印刷機は、オペレーターの作業量を低減できる。
【００１６】
本発明の好ましい態様としては、前記設定対象は複数存在し、前記カメラは、複数の前記設定対象にそれぞれ設けられ、前記複数の前記設定対象のうちの１つである特定設定対象の設定をこれから開始する際に取得する信号であって、前記設定操作開始信号の１つである特定設定操作開始信号を取得すると、前記特定設定対象の映像と、前記設定操作補助域として、前記特定設定対象を制御するための設定値の入力を補助する画像を表示する特定設定操作補助域と、を前記表示部に表示することが望ましい。
【００１７】
上記構成により、本発明に係る設定入力補助装置及び印刷機は、複数の設定対象の映像の中から、特定設定対象の映像を自動で表示部に表示する。よって、本発明に係る設定入力補助装置及び印刷機を用いれば、オペレーターは、映像を手動で切り替える必要がない。これにより、本発明に係る設定入力補助装置及び印刷機は、さらに好適にオペレーターの作業量を低減できる。
【００１８】
本発明の好ましい態様としては、前記設定操作開始信号を取得すると、あらかじめ設定された前記設定値を選択する部分であるプリセット選択部を前記表示部に表示することが望ましい。
【００１９】
上記構成により、本発明に係る設定入力補助装置は、オペレーターがプリセット選択部を操作して、例示されているプリセット値を選択することによって、設定操作補助域に設定値を入力せずに、設定対象の設定を完了できる。よって、本発明に係る設定入力補助装置及び印刷機は、オペレーターの作業量を低減できる。
【００２０】
本発明の好ましい態様としては、情報を記憶する記憶手段を備え、前記カメラが撮像した映像のうちの少なくとも一部を記憶手段に格納することが望ましい。
【００２１】
上記構成により、本発明に係る設定入力補助装置は、印刷が終わった後であっても、印刷機本体の各部の映像を確認できる。
【００２２】
本発明の好ましい態様としては、前記カメラが撮像した映像のうちの少なくとも一部を、前記設定入力補助装置が接続される通信回線を介して前記設定入力補助装置の外部に提供することが望ましい。
【００２３】
上記構成により、本発明に係る設定入力補助装置を用いれば、印刷機が設けられている設備から離れた場所に配置される映像表示装置、例えば、パーソナルコンピュータからも、印刷機本体の各部の様子を確認できる。
【００２４】
本発明の好ましい態様としては、前記印刷機本体を構成し、前記被記録媒体に印刷を施す印刷部は、前記被記録媒体の被記録面を反転させる反転部と、前記反転部を走行する前記被記録媒体に向かって空気を噴出する反転部用空気噴出装置と、を含んで構成され、前記カメラは、反転部の部分のうち、前記反転部用空気噴出装置が噴出する前記空気が導かれる部分を撮像し、前記設定入力補助装置は、前記反転部用空気噴出装置が噴出する前記空気の流量を調節するための信号であって、前記設定操作開始信号の１つである反転部用空気噴出装置設定操作信号を取得すると、前記反転部用空気噴出装置が噴出する前記空気が導かれる部分の映像と、前記反転部用空気噴出装置を制御して前記流量を調節するための設定値を入力する部分である流量設定用の前記設定操作補助域と、を前記表示部に表示することが望ましい。
【００２５】
上記構成により、本発明に係る設定入力補助装置及び印刷機を用いれば、オペレーターは、設定入力補助装置から離れて反転部を目視せずに、手元で反転部の映像を確認しながら、設定値を設定操作補助域に入力して反転部の設定を行うことができる。よって、本発明に係る設定入力補助装置及び印刷機は、オペレーターの作業量を低減できる。
【００２６】
本発明の好ましい態様としては、前記記憶手段は、複数の被記録媒体が順次走行する様子が撮像された映像から、特定の被記録媒体が撮像された部分を抽出するための特定情報を格納することが望ましい。そして、本発明の好ましい態様としては、前記複数の被記録媒体の中から特定の被記録媒体を指定する操作がなされると、前記特定情報に基づいて、前記カメラが撮像した映像から前記特定の被記録媒体が撮像された部分を抽出し、前記特定の被記録媒体が撮像された部分の映像を前記表示部に表示させることが望ましい。
【００２７】
これにより、本発明に係る設定入力補助装置は、特定の被記録媒体が撮像された映像を表示部に表示させることができる。オペレーターは、表示部に表示される映像を見ることによって、印刷機本体による被記録媒体への印刷の様子を過去に遡って確認できる。よって、本発明に係る設定入力補助装置は、被記録媒体が印刷機本体の各部を走行する際の被記録媒体の様子をより詳細にオペレーターに提供できる。
【００２８】
本発明の好ましい態様としては、前記カメラが複数設けられ、前記複数の被記録媒体の中から特定の被記録媒体を指定する操作がなされると、前記特定情報に基づいて、前記カメラが撮像した映像から前記特定の被記録媒体が撮像された部分を前記カメラ毎に特定し、前記特定の被記録媒体が撮像された部分の映像を前記カメラ毎に前記表示部に表示させることが望ましい。
【００２９】
これにより、本発明に係る設定入力補助装置は、特定の被記録媒体の軌跡を追うようにして、被記録媒体が撮像された映像を表示部に表示させることができる。オペレーターは、表示部に表示される映像を見ることによって、印刷機本体による被記録媒体への印刷の様子を過去に遡って確認できる。よって、本発明に係る設定入力補助装置は、被記録媒体が印刷機本体の各部を走行する際の被記録媒体の様子をより詳細にオペレーターに提供できる。
【００３０】
本発明の好ましい態様としては、前記特定の被記録媒体が撮像された部分の映像を前記表示部に表示させる際、前記特定の被記録媒体が撮像された時の印刷条件を前記表示部に表示させることが望ましい。
【００３１】
これにより、本発明に係る設定入力補助装置は、映像と、印刷条件の情報とを同じ画面でオペレーターに提供できる。よって、本発明に係る設定入力補助装置を用いれば、オペレーターは、映像と、その映像が撮像された時の印刷条件との関係を見出しやすくなる。例えば、印刷機本体を走行した被記録媒体に不具合があった場合、本発明に係る設定入力補助装置を用いれば、オペレーターは、その不具合が生じた際の様子を映像で確認できると共に、その時の印刷条件を見て、その不具合が生じた原因を特定しやすくなる。
【００３２】
本発明の好ましい態様としては、前記カメラが撮像した映像を記憶する記憶手段を備え、前記プリセット選択部に表示されている前記設定値のリストのうちの特定の設定値が選択されると、選択された設定値で被記録媒体が前記印刷機本体を走行した際に前記カメラが撮像した映像を、前記記憶手段から取得して前記表示部に表示させることが望ましい。
【００３３】
これにより、本発明に係る設定入力補助装置を用いれば、オペレーターは、選択した設定値での被記録媒体への印刷が良好か否かを表示部に表示される映像を見て判定できる。これにより、本発明に係る設定入力補助装置を用いれば、オペレーターは、より容易に良好な設定値を探し出せる。
【００３４】
本発明の好ましい態様としては、前記選択された設定値で被記録媒体が前記印刷機本体を走行した際に前記カメラが撮像した映像と共に、前記カメラが現在撮像している映像を前記表示部に表示させることが望ましい。
【００３５】
これにより、本発明に係る設定入力補助装置を用いれば、オペレーターは、２つの映像を比較しながら、カメラが現在撮像している映像が、選択された設定値で被記録媒体が印刷機本体を走行した際にカメラが撮像した映像よりも良好な映像（被記録媒体のバタつきを低減できている映像）となるように、プリセット選択部を操作できる。これにより、本発明に係る設定入力補助装置を用いれば、オペレーターはより容易に良好な設定値を探し出せる。
【００３６】
本発明の好ましい態様としては、前記プリセット選択部に表示される前記リストに含まれる複数の前記設定値を印刷条件に基づいて並べ替えて前記表示部に表示させることと、前記複数の前記設定値に対して前記印刷条件で絞り込み検索を行い、前記絞り込み検索で該当した設定値を前記表示部に表示させることと、のうちの少なくとも１つを実行することが望ましい。
【００３７】
記憶装置に格納されている設定値の数が膨大になると、オペレーターはプリセット選択部から所望する設定値を探し出すことが困難になる。しかしながら、本発明に係る設定入力補助装置は、上記構成により、今回の印刷ジョブに印刷条件が近い設定値を優先的に表示できる。よって、本発明に係る設定入力補助装置を用いれば、オペレーターは、所望する設定値をより容易に探し出せる。
【００３８】
本発明の好ましい態様としては、前記印刷条件は、被記録媒体が前記印刷機本体を走行する速度と、前記被記録媒体の平面寸法と、前記被記録媒体の厚さと、前記被記録媒体の種類と、前記印刷機本体が前記被記録媒体に印刷を施す際に用いられる色数と、のうちの少なくとも１つであることが望ましい。
【発明の効果】
【００３９】
本発明は、オペレーターの作業量を低減できる。
【図面の簡単な説明】
【００４０】
【図１】図１は、印刷機の全体を示す外観図である。
【図２】図２は、紙送り装置を胴群の回転軸に直交する平面で切って示す断面図である。
【図３】図３は、基準画面が表示されているときの表示部を模式的に示す構成図である。
【図４】図４は、設定項目リストが表示されているときの表示部を模式的に示す構成図である。
【図５】図５は、実施形態１の設定画面が表示されているときの表示部を模式的に示す構成図である。
【図６】図６は、制御装置を模式的に示す構成図である。
【図７】図７は、追跡画面が表示されているときの表示部を模式的に示す構成図である。
【図８】図８は、拡大表示用追跡画面が表示されているときの表示部を模式的に示す構成図である。
【図９】図９は、実施形態２の設定画面が表示されているときの表示部を模式的に示す構成図である。
【図１０】図１０は、実施形態２の設定画面に備考表示部が表示されているときの表示部を模式的に示す構成図である。
【図１１】図１１は、比較設定画面が表示されているときの表示部を模式的に示す構成図である。
【図１２】図１２は、カメラ制御画面が表示されているときの表示部を模式的に示す構成図である。
【発明を実施するための形態】
【００４１】
以下に、本発明に係る設定入力補助装置及び印刷機制御装置ならびに印刷機の実施形態を図面に基づいて詳細に説明する。なお、この実施形態によりこの発明が限定されるものではない。
【００４２】
（実施形態１）
図１は、印刷機の全体を示す外観図である。印刷機１は、印刷機本体９００と、印刷機制御装置２００とを含んで構成される。本実施形態では、印刷機本体９００は、一例として枚葉印刷機であるものとして説明する。印刷機本体９００は、給紙部９１０と、印刷部９３０と、反転部９５０と、排紙部９６０とを含んで構成される。
【００４３】
給紙部９１０は、紙積装置９１１と、紙送り装置９２０とを含んで構成される。紙積装置９１１は、印刷が施される被記録媒体としての紙Ｓが積み重ねられる。なお、被記録媒体には、紙Ｓ以外に、例えば、フィルムや表面にアルミでコーティングされているシートなども含まれる。紙送り装置９２０は、紙積装置９１１から導かれた紙Ｓを印刷部９３０に導く。印刷部９３０は、紙Ｓに印刷を施す。印刷部９３０で印刷が施された紙Ｓは、排紙部９６０に排出される。
【００４４】
印刷部９３０は、給紙部９１０から排紙部９６０に向かって順に、第１印刷ユニット９３１と、第２印刷ユニット９３２と、第３印刷ユニット９３３と、第４印刷ユニット９３４とが並んで配置されて構成される。第１印刷ユニット９３１から第４印刷ユニット９３４の各印刷ユニットは、例えば、シアン、マゼンタ、イエロー、ブラック等の単色を重ねて印刷する。
【００４５】
印刷部９３０は、印刷ユニット毎に、胴群９４０を有する。胴群９４０には、例えば、中間胴９４１と、版胴９４２と、ブランケット胴９４３と、圧胴９４４とが含まれる。胴群９４０は、円筒形状に形成され、各胴がそれぞれの中心軸を軸に回転できるように、フレームに設けられる。なお、本実施形態では、第３印刷ユニット９３３には、中間胴９４１は含まれない。
【００４６】
図２は、紙送り装置を胴群の回転軸に直交する平面で切って示す断面図である。紙送り装置９２０は、図１に示す印刷機本体９００の紙積装置９１１と印刷部９３０との間に配置される。紙送り装置９２０は、図２に示すように、案内板９２１と、前当て９２２と、紙押さえ部材９２３と、スインググリッパー９２４と、紙送り装置用空気噴出装置１７０とを含んで構成される。
【００４７】
案内板９２１は、給紙部９１０から印刷部９３０に向かう紙Ｓの走行方向に沿って設けられる。案内板９２１は、印刷部９３０側の端部が第１印刷ユニット９３１の中間胴９４１の側周部に対向して配置される。
【００４８】
前当て９２２は、案内板９２１の端部と中間胴９４１の側周部との間に設けられる。前当て９２２は、案内板９２１の面のうち、紙Ｓが走行する方の面から突出して設けられる。案内板９２１の面のうち、紙Ｓが走行する方の面を案内板９２１の走行面という。紙Ｓは、案内板９２１上を走行し、咥え側Ｓｔが前当て９２２に当たると咥え側Ｓｔの位置が整えられる。
【００４９】
紙押さえ部材９２３は、案内板９２１の走行面と対向する位置に設けられる。紙押さえ部材９２３は、例えば、案内板９２１に近づくほど、前当て９２２に向かって湾曲する板状の部材である。また、紙押さえ部材９２３は、紙Ｓの種類によっては、中間胴９４１の回転軸と平行な軸を回転軸とするローラーの場合もある。
【００５０】
紙押さえ部材９２３と案内板９２１との間には、隙間が形成され、紙Ｓはこの隙間を通って案内板９２１上を中間胴９４１に向かって走行する。この時、紙押さえ部材９２３は、前記隙間を通過する紙Ｓと接触することによって、前記紙Ｓを案内板９２１側にガイドする。これにより、紙押さえ部材９２３は、紙Ｓが案内板９２１から浮き上がるおそれを抑制する。
【００５１】
ここで、前記隙間の大きさは、前記隙間を通過する紙Ｓの厚みによって調節される。紙押さえ部材９２３は、案内板９２１に近づく方向、及び、案内板９２１から遠ざかる方向に紙押さえ部材９２３を移動させる昇降装置９２３ａに取り付けられる。
【００５２】
これにより、案内板９２１と紙押さえ部材９２３との間の隙間の大きさは、昇降装置９２３ａによって調節される。具体的には、紙Ｓの厚みが厚くなるほど、前記隙間の大きさは大きく設定される。なお、紙Ｓの厚みとは、案内板９２１と紙押さえ部材９２３とを結ぶ方向の紙Ｓの寸法である。
【００５３】
スインググリッパー９２４は、案内板９２１及び前当て９２２と、第１印刷ユニット９３１の中間胴９４１との間に配置される。スインググリッパー９２４は、前当て９２２によって位置決めされた紙Ｓを掴む。スインググリッパー９２４は、胴群９４０のそれぞれの回転軸と平行な回動軸９２４ａを軸に回動することにより、グリッパー側爪９２４ｂが、案内板９２１の端部から中間胴９４１側に近づく方向に動いて、紙Ｓを中間胴９４１に受け渡す。
【００５４】
このようにして、紙送り装置９２０は、図１に示す給紙部９１０から導かれた紙Ｓの咥え側Ｓｔを、スインググリッパー９２４が中間胴９４１に導く。これにより、紙送り装置９２０は、紙Ｓを給紙部９１０から印刷部９３０に送る。
【００５５】
紙送り装置用空気噴出装置１７０は、案内板９２１の走行面に開口する噴出口１７１から紙Ｓの走行方向に向かって、案内板９２１と紙Ｓとの間に、案内板９２１に沿って空気を噴出する。
【００５６】
これにより、案内板９２１と紙Ｓとの間の気圧が、紙Ｓを境に案内板９２１と反対側の気圧よりも低下する。よって、紙Ｓは、案内板９２１側に引き寄せられる。このようにして、紙送り装置用空気噴出装置１７０は、案内板９２１上を走行する紙Ｓを案内板９２１側に吸い付けて、紙Ｓが案内板９２１から浮き上がるおそれを抑制する。
【００５７】
図１に示す反転部９５０は、第２印刷ユニット９３２と第３印刷ユニット９３３との間に配置される。具体的には、反転部９５０は、第２印刷ユニット９３２の圧胴９４４と、第３印刷ユニット９３３の圧胴９４４との間に配置される。
【００５８】
排紙部９６０は、給紙部９１０から排紙部９６０に向かって走行する紙Ｓの走行方向の順に、反転中間胴９５１と、反転倍胴９５２と、反転胴９５３とを含んで構成される。反転中間胴９５１と、反転倍胴９５２と、反転胴９５３とは、それぞれ円筒形状に形成され、各胴がそれぞれの中心軸を軸に回転できるように、フレームに設けられる。
【００５９】
反転部９５０は、紙Ｓの端部のうち、反転中間胴９５１及び反転倍胴９５２で咥えられる側の端部である咥え側Ｓｔとは反対側の端部である咥え尻側Ｓｂを反転胴９５３が咥える。反転部９５０は、紙Ｓの端部のうち第１印刷ユニット９３１及び第２印刷ユニット９３２での咥え尻側Ｓｂを、新たな咥え側Ｓｔとして反転胴９５３が第３印刷ユニット９３３の圧胴９４４に受け渡す。
【００６０】
また、反転部９５０は、紙Ｓの２つの面のうち、第２印刷ユニット９３２の圧胴９４４でブランケット胴９４３と接触する側の面を、圧胴９４４の側周部と接触する側に変更して紙Ｓを第３印刷ユニット９３３の圧胴９４４に受け渡す。このようにして、反転部９５０は、第２印刷ユニット９３２と第３印刷ユニット９３３との間で、紙Ｓの面のうち、印刷が施される側の面である被記録面を反転させる。
【００６１】
反転部９５０は、反転部用空気噴出装置１８０を含んで構成される。ここで、印刷機本体９００には、各胴がオペレーターに露出しないように、カバー９０１に覆われて設けられている。反転部用空気噴出装置１８０は、各胴と対向する位置のうち、カバー９０１が設けられている側とは反対側のいわゆる裏側に配置される。
【００６２】
反転部用空気噴出装置１８０は、例えば、反転部用第１空気噴出装置１８１と、反転部用第２空気噴出装置１８２と、反転部用第３空気噴出装置１８３と、反転部用第４空気噴出装置１８４とを含んで構成される。なお、反転部用空気噴出装置１８０が備える空気噴出装置の数は４つに限定されない。
【００６３】
反転部用空気噴出装置１８０は、反転部用第１空気噴出装置１８１から反転部用第４空気噴出装置１８４の各空気噴出装置が反転部９５０の各胴の側周部に対向して設けられて、反転部９５０の各胴の側周部に向かって空気を噴出する。これにより、反転部用空気噴出装置１８０は、反転部９５０の各胴の側周部に巻き付いて搬送される紙Ｓを、反転部９５０の各胴の側周部に押し付ける。このようにして、反転部用空気噴出装置１８０は、紙Ｓのばたつきを抑制する。
【００６４】
反転部９５０で被記録面が反転された紙Ｓは、第３印刷ユニット９３３及び第４印刷ユニット９３４で印刷が施されて、排紙部９６０に排出される。このようにして、印刷機本体９００は、紙Ｓの両面に印刷を施す。
【００６５】
排紙部９６０は、排紙台９６１と、チェーン９６２と、排紙胴９６３と、従動軸９６４と、グリッパー９６５と、チャンバーガイド９６６と、排紙部用空気噴出装置１９０とを含んで構成される。排紙台９６１は、印刷部９３０で印刷が施された紙Ｓが積載される台である。
【００６６】
チェーン９６２は、印刷部９３０側に配置される排紙胴９６３と、排紙台９６１側に配置される従動軸９６４とに巻き掛けられる。排紙胴９６３及び従動軸９６４は、胴群９４０の各胴の回転軸と平行な軸を回転軸として回転する。
【００６７】
グリッパー９６５は、チェーン９６２に取り付けられる。グリッパー９６５は、紙Ｓの一部を掴む。排紙部９６０は、グリッパー９６５が紙Ｓの一部を掴んだ状態で、排紙胴９６３及び従動軸９６４が回転することで、チェーン９６２が紙Ｓを排紙台９６１に向かって搬送する。
【００６８】
チャンバーガイド９６６は、チェーン９６２と対向して設けられる。チャンバーガイド９６６は、グリッパー９６５が紙Ｓの一部を掴んで排紙台９６１に向かう搬送ラインに沿って設けられる。チャンバーガイド９６６は、グリッパー９６５によって掴まれて搬送される紙Ｓを案内する。
【００６９】
排紙部用空気噴出装置１９０は、例えば、排紙部用第１空気噴出装置１９１と、排紙部用第２空気噴出装置１９２とを含んで構成される。排紙部用第１空気噴出装置１９１は、チャンバーガイド９６６に設けられる。排紙部用第１空気噴出装置１９１は、チャンバーガイド９６６から遠ざかる方向に、紙Ｓに向かって空気を噴出する。
【００７０】
これにより、排紙部用第１空気噴出装置１９１は、グリッパー９６５によって掴まれて搬送される紙Ｓとチャンバーガイド９６６との間に隙間を確保する。このようにして、排紙部用第１空気噴出装置１９１は、印刷部９３０で印刷が施された紙Ｓがチャンバーガイド９６６と接触して擦れるおそれを抑制する。
【００７１】
排紙部用第２空気噴出装置１９２は、排紙台９６１と対向して設けられる。具体的には、排紙部用第２空気噴出装置１９２は、グリッパー９６５によって掴まれて搬送される紙Ｓを境に、排紙部９６０と反対側に設けられる。排紙部用第２空気噴出装置１９２は、排紙台９６１に向かって空気を噴出する。
【００７２】
これにより、排紙部用第２空気噴出装置１９２は、グリッパー９６５によって掴まれて搬送される紙Ｓに、排紙台９６１に向かう風を当てる。このようにして、グリッパー９６５によって掴まれて搬送される紙Ｓを排紙台９６１に案内する。
【００７３】
印刷機制御装置２００は、コンピューターを含んで構成されて印刷機本体９００の各部を制御する。印刷機制御装置２００は、例えば、給紙部９１０と、印刷部９３０と、反転部９５０と、排紙部９６０と電気的に接続される。印刷機制御装置２００は、これにより、印刷機本体９００の各部を制御する。
【００７４】
具体的には、印刷機制御装置２００は、図２に示す紙送り装置９２０の昇降装置９２３ａと電気的に接続される。これにより、印刷機制御装置２００は、図２に示す紙押さえ部材９２３と案内板９２１との間の隙間の大きさを調節する。また、印刷機制御装置２００は、紙送り装置用空気噴出装置１７０と電気的に接続される。これにより、印刷機制御装置２００は、紙送り装置用空気噴出装置１７０が噴出する空気の流量を調節する。
【００７５】
また、印刷機制御装置２００は、図１に示す反転部用空気噴出装置１８０と電気的に接続される。これにより、印刷機制御装置２００は、反転部用空気噴出装置１８０の各空気噴出装置が噴出する空気の流量を調節する。また、印刷機制御装置２００は、排紙部用空気噴出装置１９０と電気的に接続される。これにより、印刷機制御装置２００は、排紙部用空気噴出装置１９０の各空気噴出装置が噴出する空気の流量を調節する。
【００７６】
印刷機制御装置２００は、設定入力補助装置１００を含んで構成される。なお、本実施形態では、設定入力補助装置１００は、印刷機制御装置２００の一部として印刷機制御装置２００に組み込まれて構成される。つまり、設定入力補助装置１００が備える構成は、印刷機制御装置２００が備えている構成でもあり、設定入力補助装置１００が実行する手順は、印刷機制御装置２００が実行する手順でもある。なお、設定入力補助装置１００は、印刷機制御装置２００に組み込まれずに、印刷機制御装置２００とは別個に設けられる構成であってもよい。
【００７７】
設定入力補助装置１００は、入力部１１０と、表示部１２０と、撮像部１５０とが接続されて構成される。入力部１１０は、印刷機１のオペレーターによって操作される部分である。入力部１１０は、例えば、キーボードやマウスである。なお、表示部１２０がタッチパネル式のモニターである場合は、入力部１１０は、表示部１２０に含まれる。
【００７８】
表示部１２０は、オペレーターが入力部１１０を操作して印刷機本体９００を制御するために必要な情報を表示する部分である。表示部１２０は、例えば、ＣＲＴ（Ｃａｔｈｏｄｅ−Ｒａｙ  Ｔｕｂｅ）モニターや、液晶モニターである。
【００７９】
撮像部１５０は、例えば、第１カメラ１５１と、第２カメラ１５２と、第３カメラ１５３と、第４カメラ１５４とを含んで構成される。なお、以下に、撮像部１５０の構成の一例を説明するが、撮像部１５０に含まれるカメラの数や、カメラを設置する部位は、以下に説明する構成に限定されない。
【００８０】
第１カメラ１５１は、給紙部９１０に取り付けられる。具体的には、第１カメラ１５１は、図２に示す紙送り装置９２０の案内板９２１の走行面と対向する位置に取り付けられる。これにより、第１カメラ１５１は、案内板９２１の走行面を撮像する。また、案内板９２１の走行面上を紙Ｓが走行する場合、第１カメラ１５１は、案内板９２１の走行面上を走行する紙Ｓを撮像する。
【００８１】
また、第１カメラ１５１は、案内板９２１の走行面のみではなく、紙押さえ部材９２３と案内板９２１との間の隙間も撮像できるように取り付けられる。これにより、第１カメラ１５１は、案内板９２１及び紙押さえ部材９２３と、前記隙間を通過する紙Ｓとを撮像する。
【００８２】
このようにして、第１カメラ１５１は、紙送り装置用空気噴出装置１７０によって紙Ｓが案内板９２１に吸い寄せられて案内板９２１上を走行する様子と、紙Ｓが紙押さえ部材９２３と案内板９２１との間の隙間を通過する様子とを撮像する。
【００８３】
図１に示す第２カメラ１５２は、反転部９５０の反転中間胴９５１と、反転倍胴９５２と、反転胴９５３と対向する位置に取り付けられる。第２カメラ１５２は、各胴と対向する位置のうち、カバー９０１が設けられている側とは反対側のいわゆる裏側に配置される。
【００８４】
これにより、第２カメラ１５２は、反転部９５０の部分のうち、反転部用空気噴出装置１８０が噴出する空気が導かれる部分を撮像する。よって、第２カメラ１５２は、紙Ｓがばたつきを抑制されている様子を撮像する。
【００８５】
第３カメラ１５３及び第４カメラ１５４は、排紙部９６０に取り付けられる。第３カメラ１５３は、チャンバーガイド９６６と対向する位置に取り付けられる。これにより、第３カメラ１５３は、排紙部用第１空気噴出装置１９１が空気を噴出してグリッパー９６５によって掴まれて搬送される紙Ｓが案内される様子を撮像する。
【００８６】
第４カメラ１５４は、排紙台９６１と対向して取り付けられる。これにより、第４カメラ１５４は、排紙部用第２空気噴出装置１９２が排紙台９６１に向かって空気を噴出して、紙Ｓが排紙台９６１に向かって案内される様子を撮像する。
【００８７】
ここで、撮像部１５０の各カメラは、印刷機本体９００のカバー９０１やケーシングに囲われた部分、いわゆる印刷機本体９００の内部に配置される。印刷機本体９００の内部は、紙Ｓの紙粉が飛散する場合があるため、撮像部１５０の各カメラのレンズが汚れるおそれがある。
【００８８】
そこで、撮像部１５０は、各カメラが印刷機本体９００の内部から容易に取り外して清掃できるように構成されると好ましい。または、撮像部１５０は、各カメラの近傍のケーシングに開け閉めできる窓や扉が形成され、オペレーターが前記窓や扉から手を入れて、レンズを容易に清掃できるように構成されると好ましい。これにより、オペレーターは、仮に撮像部１５０の各カメラのレンズに紙粉が付着したとしても、容易に各カメラのレンズを清掃できる。
【００８９】
また、撮像部１５０は、各カメラの取り付け角度が、任意に変更できるように構成されると好ましい。撮像部１５０は、例えば、各カメラの取り付け部分に、角度調節のためのヒンジ部が設けられる。これにより、オペレーターは、撮像部１５０の各カメラの撮像対象を微調整できる。
【００９０】
撮像部１５０の各カメラは、設定入力補助装置１００に電気的に接続される。これにより、設定入力補助装置１００は、撮像部１５０の各カメラから、撮像対象の映像を取得して表示部１２０に表示する。具体的には、設定入力補助装置１００は、第１カメラ１５１から取得した給紙部９１０の映像と、第２カメラ１５２から取得した反転部９５０の映像と、第３カメラ１５３及び第４カメラ１５４から取得した排紙部９６０の映像とを表示部１２０に表示する。
【００９１】
図３は、基準画面が表示されているときの表示部を模式的に示す構成図である。図３に示す画面は、オペレーターがこれから操作を開始する際に表示される画面の一例である。図３に示すように、設定入力補助装置１００は、表示部１２０に、例えば、第１映像表示部１３１と、第２映像表示部１３２と、第３映像表示部１３３と、第４映像表示部１３４と、ボタン類１４０とを表示する。
【００９２】
設定入力補助装置１００は、第１映像表示部１３１に、例えば、図１に示す第１カメラ１５１が撮像した給紙部９１０の映像を表示する。また、設定入力補助装置１００は、第２映像表示部１３２に、例えば、図１に示す第２カメラ１５２が撮像した反転部９５０の映像を表示する。
【００９３】
また、設定入力補助装置１００は、第３映像表示部１３３に、例えば、図１に示す第３カメラ１５３が撮像した排紙部９６０の映像であって、排紙部用第１空気噴出装置１９１によって案内される紙Ｓの映像を表示する。また、設定入力補助装置１００は、第４映像表示部１３４に、例えば、図１に示す第４カメラ１５４が撮像した排紙部９６０の映像であって、排紙部用第２空気噴出装置１９２によって排紙台９６１に案内される紙Ｓの映像を表示する。
【００９４】
ここで、本実施形態のボタン類１４０は、オペレーターが可動部分を押すことによって２つの接点が接触して所定の信号を発生させる機械式の押しボタンではなく、表示部１２０に表示される電子的なボタンであって、仮想の操作部である。
【００９５】
よって、実際は、ボタン類１４０は操作を補助するための画像であって、所定の信号を発生させるのではなく、オペレーターが入力部１１０を操作してボタン類１４０を操作する作業を設定入力補助装置１００が検出すると、設定入力補助装置１００が所定の信号を取得したと判断する。
【００９６】
ボタン類１４０は、例えば、設定ボタン１４１と、印刷開始ボタン１４２と、印刷停止ボタン１４３と、録画開始ボタン１４４と、録画停止ボタン１４５と、再生ボタン１４６とを含んで構成される。印刷開始ボタン１４２が操作されると、設定入力補助装置１００は印刷開始信号を取得して、印刷機本体９００による紙Ｓへの印刷を開始する。
【００９７】
印刷停止ボタン１４３が操作されると、設定入力補助装置１００は、印刷停止信号を取得して、印刷機本体９００による紙Ｓへの印刷を停止する。録画開始ボタン１４４と、録画停止ボタン１４５と、再生ボタン１４６とについては、後述する。
【００９８】
なお、設定入力補助装置１００は、基準画面で第１映像表示部１３１から第４映像表示部１３４の４つの画面を必ずしも表示しなくてもよい。設定入力補助装置１００は、少なくとも、基準画面で設定ボタン１４１を表示すればよい。
【００９９】
ここで、設定ボタン１４１は、表示部１２０上に配置された設定開始操作補助域に表示された画像であって、設定対象の設定をこれから開始する操作を補助するための画像である。このように、設定入力補助装置１００は、表示部１２０に設定開始操作補助域を表示させると共に、設定開始操作補助域に設定ボタン１４１の画像を表示させる。
【０１００】
図４は、設定項目リストが表示されているときの表示部を模式的に示す構成図である。設定ボタン１４１が操作されると、設定入力補助装置１００は、図４に示すように、表示部１２０にオペレーターが設定すべき項目のリストを表示する。設定入力補助装置１００は、例えば、表示部１２０に、昇降装置設定ボタン１４１ａと、紙送り装置用空気噴出装置設定ボタン１４１ｂと、反転部用空気噴出装置設定ボタン１４１ｃと、排紙部用第１空気噴出装置設定ボタン１４１ｄと、排紙部用第２空気噴出装置設定ボタン１４１ｅとを表示する。
【０１０１】
昇降装置設定ボタン１４１ａが操作されると、設定入力補助装置１００は、特定設定操作開始信号としての昇降装置設定操作開始信号を取得する。昇降装置設定操作開始信号を取得すると、設定入力補助装置１００は、現在の画面から、紙押さえ部材９２３と案内板９２１との間の隙間の大きさを調節するための画面に切り替える。
【０１０２】
紙送り装置用空気噴出装置設定ボタン１４１ｂが操作されると、設定入力補助装置１００は、特定設定操作開始信号としての紙送り装置用空気噴出装置設定操作開始信号を取得する。紙送り装置用空気噴出装置設定操作開始信号を取得すると、設定入力補助装置１００は、現在の画面から、紙送り装置用空気噴出装置１７０が噴出する空気の流量を調節するための画面に切り替える。
【０１０３】
反転部用空気噴出装置設定ボタン１４１ｃが操作されると、設定入力補助装置１００は、特定設定操作開始信号としての反転部用空気噴出装置設定操作開始信号を取得する。反転部用空気噴出装置設定操作開始信号を取得すると、設定入力補助装置１００は、現在の画面から、反転部用空気噴出装置１８０が噴出する空気の流量を調節するための画面に切り替える。
【０１０４】
排紙部用第１空気噴出装置設定ボタン１４１ｄが操作されると、設定入力補助装置１００は、特定設定操作開始信号としての排紙部用第１空気噴出装置設定操作開始信号を取得する。排紙部用第１空気噴出装置設定操作開始信号を取得すると、設定入力補助装置１００は、現在の画面から、排紙部用第１空気噴出装置１９１が噴出する空気の流量を調節するための画面に切り替える。
【０１０５】
排紙部用第２空気噴出装置設定ボタン１４１ｅが操作されると、設定入力補助装置１００は、特定設定操作開始信号としての排紙部用第２空気噴出装置設定操作開始信号を取得する。排紙部用第２空気噴出装置設定操作開始信号を取得すると、設定入力補助装置１００は、現在の画面から、排紙部用第２空気噴出装置１９２が噴出する空気の流量を調節するための画面に切り替える。
【０１０６】
以下、昇降装置設定操作開始信号と、紙送り装置用空気噴出装置設定操作開始信号と、反転部用空気噴出装置設定操作開始信号と、排紙部用第１空気噴出装置設定操作開始信号と、排紙部用第２空気噴出装置設定操作開始信号とを総じて、設定操作開始信号という。次に、設定入力補助装置１００が設定操作開始信号を取得した際に表示部１２０に表示される設定画面の構成を説明する。
【０１０７】
図５は、実施形態１の設定画面が表示されているときの表示部を模式的に示す構成図である。設定操作開始信号を取得すると、設定入力補助装置１００は、図５に示すように、表示部１２０に、録画時間表示部１３８と、設定操作補助域１４７と、プリセット選択部１４８とを表示する。
【０１０８】
設定入力補助装置１００は、設定対象映像表示部１３６に、オペレーターがこれから設定する対象である設定対象の映像を表示する。設定入力補助装置１００は、設定操作補助域１４７に、設定対象を制御するための数値である設定値を入力するための入力部の画像や、設定値を変更するためのボタンや、前記数値を入力する入力部の代わりに例えばスライダーの画像を表示する。
【０１０９】
ここで、設定操作補助域１４７は、設定対象を制御するための設定値の入力を補助する画像が表示させる領域である。オペレーターは、設定操作補助域１４７に表示される画像を見て、入力部１１０を操作する。これにより、オペレーターは、設定値を入力する。
【０１１０】
このように、オペレーターが実際に操作する対象は入力部１１０であるが、設定入力補助装置１００は、オペレーターに設定操作補助域１４７を操作していると思わせて、設定値の入力を補助する。よって、以下の説明では、実際はオペレーターが入力部１１０を操作して設定値を入力していても、オペレーターが設定操作補助域１４７を操作して設定値を入力しているものとして説明する。
【０１１１】
オペレーターは、設定操作補助域１４７を操作することによって、設定対象の設定を行う。なお、ここでは、オペレーターが前記スライダーを操作することは、オペレーターが設定値を入力することと同じものとして取り扱う。
【０１１２】
設定入力補助装置１００は、プリセット選択部１４８に、あらかじめ設定されている設定値であって、設定対象を制御するための数値の例を表示する。以下、あらかじめ設定されている数値をプリセット値という。オペレーターは、プリセット選択部１４８を操作して、例示されているプリセット値を選択することによって、設定操作補助域１４７を操作せずに、設定対象の設定を完了できる。
【０１１３】
例えば、設定入力補助装置１００は、オペレーターが設定操作補助域１４７を操作して入力した数値を、記憶装置に記憶する。そして、次回以降、記憶部に記憶した前記数値を、プリセット値としてプリセット選択部１４８に表示する。オペレーターは、前記プリセット値を選択することにより、設定操作補助域１４７を操作せずに、前回と同じ設定で、設定対象の設定を完了できる。
【０１１４】
ここで、反転部用空気噴出装置１８０のように、複数の装置によって構成される装置の設定値は、複数の設定値の組み合わせとなる。このような場合、設定入力補助装置１００は、この複数の設定値の組み合わせを、プリセット値として表示部１２０に表示する。これにより、オペレーターは、設定操作補助域１４７に表示される複数のスライダーを個別に操作することなく、容易に設定対象の設定を完了できる。これにより、設定入力補助装置１００は、オペレーターの作業量を低減できる。
【０１１５】
ここで、設定入力補助装置１００が昇降装置設定操作開始信号を取得した場合、設定入力補助装置１００は、設定対象映像表示部１３６に給紙部９１０の映像、具体的には、紙押さえ部材９２３と案内板９２１との間の隙間の映像を表示する。また、設定入力補助装置１００は、設定操作補助域１４７に、昇降装置９２３ａを移動させて紙押さえ部材９２３と案内板９２１との間の隙間の大きさを調節するためのスライダーを表示する。
【０１１６】
設定入力補助装置１００が紙送り装置用空気噴出装置設定操作開始信号を取得した場合、設定入力補助装置１００は、設定対象映像表示部１３６に給紙部９１０の映像、具体的には、案内板９２１の走行面を走行する紙Ｓの映像を表示する。また、設定入力補助装置１００は、設定操作補助域１４７に、紙送り装置用空気噴出装置１７０から噴出する空気の流量を調節するためのスライダーを表示する。
【０１１７】
設定入力補助装置１００が反転部用空気噴出装置設定操作開始信号を取得した場合、設定入力補助装置１００は、設定対象映像表示部１３６に反転部９５０の映像、具体的には、反転部９５０の部分であって反転部用空気噴出装置１８０が噴出した空気が導かれている部分の映像を表示する。また、設定入力補助装置１００は、設定操作補助域１４７に、反転部用空気噴出装置１８０から噴出する空気の流量を調節するためのスライダーを表示する。
【０１１８】
ここで、反転部用空気噴出装置１８０は、本実施形態では、４つの空気噴出装置を含んで構成される。よって、設定入力補助装置１００は、設定操作補助域１４７に、反転部用第１空気噴出装置１８１から噴出する空気の流量を調節するためのスライダーと、反転部用第２空気噴出装置１８２から噴出する空気の流量を調節するためのスライダーと、反転部用第３空気噴出装置１８３から噴出する空気の流量を調節するためのスライダーと、反転部用第４空気噴出装置１８４から噴出する空気の流量を調節するためのスライダーとを表示する。
【０１１９】
設定入力補助装置１００が排紙部用第１空気噴出装置設定操作開始信号を取得した場合、設定入力補助装置１００は、設定対象映像表示部１３６に第３カメラ１５３が撮像した排紙部９６０の映像、具体的には、チャンバーガイド９６６に沿って走行する紙Ｓの映像を表示する。また、設定入力補助装置１００は、設定操作補助域１４７に、排紙部用第１空気噴出装置１９１から噴出する空気の流量を調節するためのスライダーを表示する。
【０１２０】
設定入力補助装置１００が排紙部用第２空気噴出装置設定操作開始信号を取得した場合、設定入力補助装置１００は、設定対象映像表示部１３６に第４カメラ１５４が撮像した排紙部９６０の映像、具体的には、排紙台９６１に案内される紙Ｓの映像を表示する。また、設定入力補助装置１００は、設定操作補助域１４７に、排紙部用第２空気噴出装置１９２から噴出する空気の流量を調節するためのスライダーを表示する。
【０１２１】
以上のように、設定入力補助装置１００は、表示部１２０に、取得した設定操作開始信号に対応した設定対象の映像と共に、前記設定対象を制御するための設定操作補助域とを表示する。これにより、オペレーターは、設定対象映像表示部１３６にリアルタイムで表示されている前記設定対象を確認しながら、設定操作補助域１４７またはプリセット選択部１４８を操作して前記設定対象の設定を行うことができる。
【０１２２】
ここで、従来、設定対象の設定をする場合、オペレーターは、制御装置から離れて設定対象を目視する必要があった。しかしながら、設定入力補助装置１００を用いれば、オペレーターは、設定入力補助装置１００から離れずに、手元で設定対象の映像を確認しながら、制御対象の設定を行うことができる。よって、設定入力補助装置１００は、オペレーターの作業量を低減できる。
【０１２３】
また、設定入力補助装置１００は、設定対象の映像を自動で表示部１２０に表示する。よって、設定入力補助装置１００を用いれば、オペレーターは、映像を手動で切り替える必要がない。これにより、設定入力補助装置１００は、さらに好適にオペレーターの作業量を低減できる。
【０１２４】
なお、表示部１２０に表示される映像は、なめらかな動画に限定されず、静止画が連続して表示されるような、いわゆるコマ落ちした動画であってもよい。つまり、表示部１２０に表示される映像は、オペレーターが設定操作補助域１４７を操作して、設定対象映像表示部１３６を見ることで設定値が適正であったか否かを確認できる程度の質が確保されていればよい。
【０１２５】
また、本実施形態では、設定入力補助装置１００は、１つの表示部１２０が接続されるものとして説明したが、設定入力補助装置１００は、複数の表示部１２０が接続されることでマルチモニターシステムに構成されてもよい。
【０１２６】
例えば、設定入力補助装置１００に第１表示部と第２表示部とが接続される場合、設定入力補助装置１００は、取得した設定操作開始信号に対応した設定対象の映像を第１表示部に表示し、前記設定対象を制御するための設定操作補助域を第２表示部に表示する。
【０１２７】
このように設定入力補助装置１００が構成されても、オペレーターは、設定対象映像表示部１３６にリアルタイムで表示されている前記設定対象を確認しながら、設定操作補助域１４７またはプリセット選択部１４８を操作して前記設定対象の設定を行うことができる。よって、設定入力補助装置１００は、オペレーターの作業量を低減できる。
【０１２８】
設定入力補助装置１００は、枚葉印刷機以外にも、例えば、被記録媒体としてのウェブに印刷を施す輪転印刷機を制御してもよい。この場合、カメラは、例えば、給紙部に取り付けられる。設定入力補助装置１００は、給紙部の映像、具体的には、例えば、ペースターユニットの映像を表示部１２０に表示すると共に、前記ペースターユニットを制御するための設定操作補助域を表示部１２０に表示する。
【０１２９】
また、設定入力補助装置１００がウェブに印刷を施す輪転印刷機を制御する場合、例えば、カメラは、折機の内部に取り付けられる。設定入力補助装置１００は、折機の内部の映像を表示部１２０に表示すると共に、折り位置やチョッパ位置を微調整するための設定操作補助域を表示部１２０に表示する。
【０１３０】
この場合であっても、設定入力補助装置１００は、オペレーターが制御装置から離れて設定対象を目視しながら設定対象の設定を行う必要がない。また、設定入力補助装置１００は、オペレーターが手動で映像を切り替える必要もない。よって、設定入力補助装置１００は、ウェブに印刷を施す輪転印刷機を制御する場合であっても、オペレーターの作業量を低減できる。
【０１３１】
次に、表示部１２０に表示される他のボタンや表示部の説明をする。図３に示すように、設定入力補助装置１００は、表示部１２０に、例えば、全体表示部１３５を表示する。設定入力補助装置１００は、全体表示部１３５に印刷機本体９００を模式的に表した全体図を表示すると共に、現在、表示部１２０に表示されている映像の撮像対象を、前記全体図の対応する箇所に例えば丸印で示す。
【０１３２】
例えば、図３では、表示部１２０に、第１映像表示部１３１から第４映像表示部１３４のすべての映像が表示されているため、設定入力補助装置１００は、全体表示部１３５に、排紙部９６０の二箇所と、給紙部９１０と、反転部９５０と、のすべてに丸印が付加された印刷機本体９００の全体図を表示する。
【０１３３】
図６は、制御装置を模式的に示す構成図である。設定入力補助装置１００は、例えば、カメラサーバ１６０を含んで構成される。カメラサーバ１６０は、撮像部１５０の各カメラが電気的に接続される。これにより、カメラサーバ１６０は、印刷機本体９００の各箇所の映像を撮像部１５０から取得する。
【０１３４】
カメラサーバ１６０は、記憶手段としての記憶装置１６１と、着脱可能記憶装置接続装置１６２と、通信回線接続装置１６３とを含んで構成される。記憶装置１６１は、例えば、ハードディスクである。記憶装置１６１は、撮像部１５０が撮像した映像を録画映像として格納する。
【０１３５】
ここで、図３に示すように、表示部１２０には、録画開始ボタン１４４と、録画停止ボタン１４５と、再生ボタン１４６と、録画時間表示部１３８とが表示される。オペレーターが録画開始ボタン１４４を操作すると、カメラサーバ１６０は、記憶装置１６１に録画停止ボタン１４５が操作されるまでの間の印刷機本体９００の映像を録画する。
【０１３６】
ここで、録画する映像は、第１映像表示部１３１から第４映像表示部１３４に表示させる４つの映像のすべてでもよいし、４つの映像の中からオペレーターが選択した映像のみでもよい。
【０１３７】
また、設定入力補助装置１００は、設定操作開始信号を取得してから、図５に示す設定対象映像表示部１３６に表示する映像を、自動的に録画して記憶装置１６１に格納する構成でもよい。
【０１３８】
印刷機本体９００の各部の映像を録画している最中、設定入力補助装置１００は、録画時間表示部１３８に録画時間を表示する。そして、録画停止ボタン１４５が操作されると、設定入力補助装置１００は、録画を終了すると共に、録画した映像を記憶装置１６１に格納する。
【０１３９】
また、設定入力補助装置１００は、再生ボタン１４６が操作されると、例えば、記憶装置１６１に格納されている録画映像のリストを表示部１２０に表示する。オペレーターが前記リストの中から所望の録画映像を選択すると、設定入力補助装置１００は、表示部１２０に前記所望の録画映像を表示する。
【０１４０】
着脱可能記憶装置接続装置１６２は、カメラサーバ１６０に着脱できる記憶手段である記憶媒体をカメラサーバ１６０に接続するための装置である。前記記憶媒体とは、例えば、シリコンディスクである。シリコンディスクには、記憶装置１６１に格納されている録画映像と同じ映像が格納される。
【０１４１】
なお、シリコンディスクは、記憶装置１６１に比べて格納できる総容量の確保が難しい。そこで、設定入力補助装置１００は、記憶装置１６１に記憶されている録画映像の一部をシリコンディスクに保存する構成でもよい。
【０１４２】
このようにして、設定入力補助装置１００は、着脱可能記憶装置接続装置１６２に接続されるシリコンディスクに印刷機本体９００の各部の録画映像を格納できる。これにより、例えば、印刷機本体９００のメンテナンスをする整備作業者は、シリコンディスクを自社に持ち帰って印刷機本体９００に不具合が生じた際の印刷機本体９００の各部の録画映像を容易に確認できる。よって、設定入力補助装置１００は、印刷機本体９００をメンテナンスする整備作業者の手間を低減できる。
【０１４３】
通信回線接続装置１６３は、カメラサーバ１６０を通信回線に接続し、撮像部１５０から取得した映像を、通信回線を介して設定入力補助装置１００とは別の表示装置、例えば、パーソナルコンピュータ８００に提供するための装置である。
【０１４４】
これにより、カメラサーバ１６０が通信回線を介して外部の表示装置に印刷機本体９００の映像を提供できる構成であれば、例えば遠隔地に設けられているパーソナルコンピュータ８００も、通信回線を介して印刷機本体９００の映像を取得できる。なお、通信回線とは、例えば、インターネットである。
【０１４５】
これにより、印刷機本体９００の管理者は、印刷機１が設置されている現場に出向くことなく、印刷機本体９００の運転状態を確認できる。よって、設定入力補助装置１００は、印刷機本体９００の管理者の手間を低減できる。
【０１４６】
（実施形態２）
実施形態２の設定入力補助装置は、実施形態１の設定入力補助装置１００が有する機能に加えて、新たな機能を有する。また、実施形態２の設定入力補助装置を含んで構成される印刷機制御装置や印刷機も同様に、実施形態１の印刷機制御装置２００や印刷機１が有する機能に加えて、前記新たな機能を有する。以下、実施形態２の設定入力補助装置や印刷機制御装置や印刷機が有する新たな機能について説明する。なお、実施形態２の設定入力補助装置の構成は実施形態１の設定入力補助装置１００と同様である。よって、実施形態１の設定入力補助装置１００と同一の機能を有する要素には同一の符号を付す。
【０１４７】
図７は、追跡画面が表示されているときの表示部を模式的に示す構成図である。図７に示すように、設定入力補助装置は、表示部１２０に追跡画面を表示する。追跡画面は、全体表示部１３５と、第１映像表示部１３１から第４映像表示部１３４と、備考表示部３１と、紙指定部３２とが含まれる。本実施形態の第１映像表示部１３１から第４映像表示部１３４の各映像表示部は、映像として静止画を表示する。但し、前記各映像表示部は、映像として動画を表示してもよい。設定入力補助装置は、例えば、第１映像表示部１３１から第４映像表示部１３４を１つずつ一列に並べて表示部１２０に表示させる。そして、設定入力補助装置は、配列された第１映像表示部１３１から第４映像表示部１３４を表示部１２０に複数列表示させる。なお、設定入力補助装置は、配列された第１映像表示部１３１から第４映像表示部１３４を表示部１２０に一列のみ表示させてもよい。
【０１４８】
備考表示部３１は、図１に示す第１カメラ１５１から第４カメラ１５４の各カメラが設定対象を撮像した際に設定されていた印刷条件を表示する部分である。以下、第１カメラ１５１から第４カメラ１５４の各カメラを区別しない場合は、単にカメラという。印刷条件とは、例えば、紙Ｓが印刷機本体９００を走行する速度である印刷速度や、紙Ｓのサイズ（平面寸法）や、紙Ｓの厚さや、紙Ｓの種類や、印刷機本体９００が紙Ｓに印刷を施す際に用いられる色数である。また、備考表示部３１は、例えば、メモ欄を含む。このメモ欄は、オペレーターが任意の情報を記載できる部分である。
【０１４９】
紙指定部３２は、給紙部９１０から排紙部９６０に向かって流れる複数の紙Ｓの中から特定の紙Ｓを指定するための部分である。紙指定部３２は、第１映像表示部１３１から第４映像表示部１３４が成す列毎に表示部１２０に表示される。すなわち、本実施形態では、紙指定部３２は、３つ表示部１２０に表示される。紙指定部３２は、例えば、「１枚目〜２０枚目」のように、複数の紙Ｓの中から特定の紙Ｓを範囲で指定できる。なお、紙指定部３２は、範囲ではなく、複数の紙Ｓの中から特定の紙Ｓを１枚指定できるものでもよい。オペレーターは、特定の紙Ｓを指定する数値を紙指定部３２に入力する。
【０１５０】
本実施形態では、図６に示す記憶装置１６１は、各カメラによって撮像された映像と共に、特定情報と、その時（各カメラが設定対象を撮像した時）の印刷速度とを格納する。特定情報とは、複数の紙Ｓが流れる様子が撮像された映像の全範囲から、特定の紙Ｓが撮像された部分を抽出するための情報である。本実施形態では、記憶装置１６１は、例えば、給紙部９１０から排紙部９６０に向けて紙Ｓを送り始めてから経過した時間を特定情報として格納する。以下、給紙部９１０から排紙部９６０に向けて紙Ｓを送り始めてから経過した時間を経過時間という。設定入力補助装置は、この経過時間と、印刷速度とに基づいて、複数の紙Ｓの中から、ある時期にカメラによって撮像された紙Ｓを特定する。
【０１５１】
設定入力補助装置は、複数の紙Ｓの中から特定の紙Ｓを指定する操作、すなわち、紙指定部３２に数値が入力されると、その列の第１映像表示部１３１から第４映像表示部１３４に、各設定対象の映像を表示させる。第１映像表示部１３１から第４映像表示部１３４に表示される映像は、紙指定部３２に入力された特定の紙Ｓが撮像された映像である。設定入力補助装置は、まず、記憶装置１６１から特定情報と、その時の印刷速度とを取得する。
【０１５２】
そして、設定入力補助装置は、紙指定部３２に入力された値（複数の紙Ｓの中から特定の範囲を指定する値）を、設定対象毎に経過時間に換算する。次に、設定入力補助装置は、記憶装置１６１から取得した映像の全範囲から、換算された経過時間に該当する部分を特定する。設定入力補助装置は、その部分の映像を第１映像表示部１３１から第４映像表示部１３４に表示する。これにより、設定入力補助装置は、特定の紙Ｓが図１に示す給紙部９１０の紙送り装置９２０に至った際の映像を第１映像表示部１３１に表示させる。また、設定入力補助装置は、特定の紙Ｓが反転部９５０に至った際の映像を第２映像表示部１３２に表示させる。また、設定入力補助装置は、特定の紙Ｓが排紙部９６０のチェーン９６２に至った際の映像を第３映像表示部１３３に表示させる。また、設定入力補助装置は、特定の紙Ｓが排紙部９６０の排紙台９６１に至った際の映像を第４映像表示部１３４に表示させる。
【０１５３】
これにより、設定入力補助装置は、特定の紙Ｓの軌跡を追うようにして、第１映像表示部１３１から第４映像表示部１３４に紙Ｓが撮像された映像を表示させることができる。オペレーターは、第１映像表示部１３１から第４映像表示部１３４を見ることによって、印刷機本体９００による紙Ｓへの印刷の様子を過去に遡って確認できる。例えば、印刷ジョブを開始した直後に排紙部９６０に排出された紙Ｓに不具合が生じたとする。この場合、オペレーターは、紙指定部３２に例えば１枚目〜２０枚目と入力する。すると、印刷機１は、１枚目〜２０枚目の紙Ｓが撮像された映像を第１映像表示部１３１から第４映像表示部１３４へ表示する。オペレーターは、この映像を確認して、印刷ジョブが開始された直後の紙Ｓの様子を確認できる。よって、設定入力補助装置は、紙Ｓが印刷機本体９００の各部を走行する際の紙Ｓの様子をより詳細にオペレーターに提供できる。
【０１５４】
図８は、拡大表示用追跡画面が表示されているときの表示部を模式的に示す構成図である。図７に示す複数列の第１映像表示部１３１から第４映像表示部１３４のうちの一列がオペレーターによって選択されると、設定入力補助装置は、図８に示すような拡大表示用追跡画面を表示部１２０に表示させる。この拡大表示用追跡画面は、全体表示部１３５と、第１映像表示部１３１から第４映像表示部１３４と、備考表示部３１と、拡大映像表示部３３とが含まれる。なお、備考表示部３１は、表示部１２０に表示されなくてもよい。第１映像表示部１３１から第４映像表示部１３４は、例えば、一列に並べられて表示部１２０に表示される。
【０１５５】
拡大映像表示部３３は、第１映像表示部１３１から第４映像表示部１３４に表示されている映像のうちの１つを拡大して表示する部分である。設定入力補助装置は、例えば、図８に示すように、第２映像表示部１３２がオペレーターによって選択されると、第２映像表示部１３２に表示されている映像を第２映像表示部１３２よりも拡大して拡大映像表示部３３に表示する。すなわち、拡大表示用追跡画面では、第１映像表示部１３１から第４映像表示部１３４の各映像表示部は、いわゆるサムネイルとして機能する。設定入力補助装置は、第１映像表示部１３１から第４映像表示部１３４に表示されている映像のうち、オペレーターが所望する映像を拡大して表示部１２０に表示させることができる。よって、設定入力補助装置は、オペレーターが所望する映像をより見やすくオペレーターに提供できる。
【０１５６】
ここで、本実施形態の設定入力補助装置は、図７及び図８に示す第１映像表示部１３１から第４映像表示部１３４のすべてを同時に表示部１２０に表示させなくてもよい。具体的には、設定入力補助装置は、第１映像表示部１３１から第４映像表示部１３４のうちの少なくとも１つを表示部１２０に表示させる。そして、設定入力補助装置は、紙指定部３２で指定された特定の紙Ｓが撮像された映像を、第１映像表示部１３１から第４映像表示部１３４のうち表示部１２０に表示された映像表示部に表示させる。この場合であっても、設定入力補助装置は、紙Ｓが印刷機本体９００の各部を走行する際の紙Ｓの様子をより詳細にオペレーターに提供できる。
【０１５７】
図９は、実施形態２の設定画面が表示されているときの表示部を模式的に示す構成図である。実施形態２の設定入力補助装置は、図９に示す設定画面を表示部１２０に表示させる。設定画面は、設定操作補助域１４７と、設定対象映像表示部３４と、プリセット選択部４０と、登録ボタン４１と、読出ボタン４２と、候補表示ボタン４３と、全体表示ボタン４４と、紙サイズ絞込ボタン４５と、色数絞込ボタン４６と、紙種絞込ボタン４７と、紙厚絞込ボタン４８と、印刷速度絞込ボタン４９と、比較ボタン５０とが含まれる。また、設定画面は、全体表示部１３５と、印刷開始ボタン１４２と、印刷停止ボタン１４３と、録画開始ボタン１４４と、録画停止ボタン１４５と、録画時間表示部１３８も含まれる。
【０１５８】
設定対象映像表示部３４は、プリセット選択部４０で選択された設定値で印刷ジョブを実行した際に、各カメラ（図９では、図１に示す第２カメラ１５２）が撮像した映像を表示する部分である。図５に示す設定対象映像表示部１３６は設定対象の現在の映像を表示する部分であるのに対して、図９に示す設定対象映像表示部３４は設定対象の過去の映像を表示する部分である点で異なる。プリセット選択部４０は、複数の設定値を含むリストを表示する部分である。図５に示すプリセット選択部１４８は各設定値の具体的な値をリストとして表示するのに対し、図９に示すプリセット選択部４０は各設定値を登録したときの印刷条件の一部を見出しとして設定値のリストを表示する点で異なる。
【０１５９】
登録ボタン４１は、設定操作補助域１４７に入力されている設定値を記憶装置１６１に格納するためのボタンである。オペレーターによって登録ボタン４１が操作されると、記憶装置１６１は、現在の（今回の印刷ジョブでの）印刷条件と対応付けて設定操作補助域１４７に入力されている設定値を格納する。なお、設定入力補助装置は、設定画面を表示する前に、印刷条件のうちの一部が印刷ジョブの設定の際に入力されている。印刷条件のうちの一部とは、例えば、紙サイズや、紙厚や、色数である。よって、設定入力補助装置は、登録ボタン４１が操作されると、これ以外の印刷条件、具体的には、印刷速度や紙種を新たに入力するようにオペレーターに指示する。オペレーターは、この指示を受けて、印刷速度や紙種を入力する。そして、設定入力補助装置は、これらの印刷条件を設定操作補助域１４７に入力されている設定値と対応付けて記憶装置１６１に格納させる。
【０１６０】
読出ボタン４２は、記憶装置１６１に格納されている設定値をプリセット選択部４０に表示させるためのボタンである。候補表示ボタン４３は、記憶装置１６１に格納されているすべての設定値の中から、候補となり得る設定値を検索し、検索で該当した設定値のリストをプリセット選択部４０に表示させるためのボタンである。候補表示ボタン４３が操作されると、設定入力補助装置は、現在（今回の印刷ジョブで）入力されている印刷条件に基づいて、この印刷条件に近い印刷条件が対応付けられた設定値のリストをプリセット選択部４０に表示させる。
【０１６１】
全体表示ボタン４４は、記憶装置１６１に格納されているすべての設定値のリストをプリセット選択部４０に表示させるためのボタンである。記憶装置１６１に格納されている設定値の数が膨大になると、オペレーターはプリセット選択部４０から所望する設定値を探し出すことが困難になる。紙サイズ絞込ボタン４５から印刷速度絞込ボタン４９の各ボタンは、この複数の設定値を、オペレーターが所望する印刷条件で絞り込むためのボタンである。
【０１６２】
紙サイズ絞込ボタン４５が操作されると、設定入力補助装置は、紙サイズが今回の印刷ジョブで入力されている値と一致する、または、紙サイズが今回の印刷ジョブで入力されている値と類似する設定値をプリセット選択部４０に表示させる。あるいは、設定入力補助装置は、紙サイズが現在（今回の印刷ジョブ）の紙サイズと近い順に設定値のリストを並び替える。なお、本実施形態では、紙サイズ絞込ボタン４５は、現在の印刷条件での印刷速度を表示するための部分としても機能する。
【０１６３】
色数絞込ボタン４６が操作されると、設定入力補助装置は、色数が今回の印刷ジョブで入力されている値と一致する、または、色数が今回の印刷ジョブで入力されている値と類似する設定値をプリセット選択部４０に表示させる。あるいは、設定入力補助装置は、色数が現在（今回の印刷ジョブ）の色数と近い順に設定値のリストを並び替える。紙種絞込ボタン４７が操作されると、設定入力補助装置は、紙種が今回の印刷ジョブで入力されている値と一致する、または、紙種が今回の印刷ジョブで入力されている値と類似する設定値をプリセット選択部４０に表示させる。あるいは、設定入力補助装置は、紙種が現在（今回の印刷ジョブ）の紙種と近い順に設定値のリストを並び替える。
【０１６４】
紙厚絞込ボタン４８が操作されると、設定入力補助装置は、紙厚が今回の印刷ジョブで入力されている値と一致する、または、紙厚が今回の印刷ジョブで入力されている値と類似する設定値をプリセット選択部４０に表示させる。あるいは、設定入力補助装置は、紙厚が現在（今回の印刷ジョブ）の紙厚と近い順に設定値のリストを並び替える。印刷速度絞込ボタン４９が操作されると、設定入力補助装置は、印刷速度が今回の印刷ジョブで入力されている値と一致する、または、印刷速度が今回の印刷ジョブで入力されている値と類似する設定値をプリセット選択部４０に表示させる。あるいは、設定入力補助装置は、印刷速度が現在（今回の印刷ジョブ）の印刷速度と近い順に設定値のリストを並び替える。なお、上述の「類似」とは、今回の印刷ジョブで入力されている値と、記憶装置１６１が格納する設定値との差異が所定値以内の場合をいう。
【０１６５】
設定画面の一例として、図９では、設定入力補助装置は、紙サイズが９６９ｍｍ×６３６ｍｍで登録されている設定値のリストをプリセット選択部４０に表示させている。オペレーターは、プリセット選択部４０に表示された各設定値の見出しを見て、現在の印刷条件と同一、または、類似する設定値を探す。図９では、各設定値の見出しは、紙種及び印刷速度である。設定入力補助装置は、この見出しを紙種及び印刷速度以外の印刷条件に変更できてもよい。この場合、設定入力補助装置は、見出しを選択するためのボタンを表示部１２０に表示させる。オペレーターは、このボタンを操作して、プリセット選択部４０に表示される設定値の見出しを変更する。これにより、設定入力補助装置を用いれば、オペレーターは、所望する設定値をより容易に探し出せる。
【０１６６】
図１０は、実施形態２の設定画面に備考表示部が表示されているときの表示部を模式的に示す構成図である。オペレーターは、図９に示すプリセット選択部４０に表示される設定値のリストを見て、複数の設定値の中から１つの設定値を選択する。すると、設定入力補助装置は、例えば、選択された設定値を設定操作補助域１４７に反映させる。そして、設定入力補助装置は、図１０に示すように、備考表示部３１を表示部１２０に表示させると共に、その設定値が登録された印刷ジョブで撮像された映像を設定対象映像表示部３４に表示させる。例えば図１０に示す設定画面は、図１に示す反転部９５０に設けられる反転部用第１空気噴出装置１８１から反転部用第４空気噴出装置１８４の設定を行う画面である。よって、設定入力補助装置は、第２カメラ１５２が撮像した映像を設定対象映像表示部３４に表示させる。
【０１６７】
オペレーターは、図１０に示す備考表示部３１と、設定対象映像表示部３４とを見て、その設定値での紙Ｓへの印刷が良好か否か、具体的には、紙Ｓのバタつきを良好に抑制できているか否かを判定する。設定入力補助装置は、他の設定値が選択されると、備考表示部３１にその設定値の詳細情報を表示すると共に、その設定値で印刷ジョブを実行した際に撮像された映像を設定対象映像表示部３４に表示させる。これにより、設定入力補助装置を用いれば、オペレーターは、より容易に良好な設定値を探し出せる。
【０１６８】
図１１は、比較設定画面が表示されているときの表示部を模式的に示す構成図である。設定入力補助装置は、例えば、図１０に示す比較ボタン５０が操作されると、表示部１２０に表示させる画面を図１１に示す比較設定画面に切り替える。比較設定画面は、設定対象映像表示部１３６と、設定対象映像表示部３４と、設定操作補助域１４７とが含まれる。また、比較設定画面は、全体表示部１３５と、印刷開始ボタン１４２と、印刷停止ボタン１４３と、録画開始ボタン１４４と、録画停止ボタン１４５と、録画時間表示部１３８も含まれる。
【０１６９】
設定入力補助装置は、現在の設定対象を各カメラが撮像した映像を設定対象映像表示部１３６に表示させる。また、設定入力補助装置は、図９で選択された設定値で印刷ジョブを実行した時の設定対象を各カメラが撮像した映像を設定対象映像表示部３４に表示させる。なお、図９及び図１０に示す設定操作補助域１４７と、図１１に示す設定操作補助域１４７では形状が異なるが、実現する機能は同一である。
【０１７０】
オペレーターは、図９に示すプリセット選択部４０で選択した設定値で印刷ジョブを実行した時の映像を設定対象映像表示部３４で確認しながら、設定操作補助域１４７を操作する。ここで、オペレーターによる設定操作補助域１４７の操作に応じて、設定対象映像表示部１３６が表示する映像は変化する。オペレーターは、設定対象映像表示部１３６に表示される映像が、設定対象映像表示部３４に表示される映像よりも良好な映像（紙Ｓのバタつきを低減できている映像）となるように、設定操作補助域１４７を操作する。これにより、設定入力補助装置を用いれば、オペレーターはより容易に良好な設定値を探し出せる。
【０１７１】
ここで、実施形態１の設定入力補助装置１００及び実施形態２の設定入力補助装置は、表示部１２０に表示させる映像が動画である場合、映像を１以下の倍速で表示部１２０に表示させることができると好ましい。すなわち、設定入力補助装置は、動画をスローで表示部１２０に表示させることができると好ましい。１倍速で動画を表示部１２０に表示させると、印刷速度によっては、オペレーターは、紙Ｓのバタつきを目視で確認することが困難となる場合がある。よって、この場合、設定入力補助装置は、１未満の倍速で映像を表示部１２０に表示させる。これにより、設定入力補助装置を用いれば、オペレーターは、紙Ｓのバタつきを確認しやすくなる。
【０１７２】
また、実施形態１及び実施形態２のカメラは、１つの設定対象に、複数設けられると好ましい。この場合、設定入力補助装置は、複数のカメラから１つの設定対象の映像を取得することで、１つの設定対象の映像を複数取得できる。そして、設定入力補助装置は、この複数の映像を表示部１２０に同時に表示させたり、複数の映像を表示部１２０に切り替えて表示させたりする。これにより、設定入力補助装置は、より広範囲な設定対象の映像を表示部１２０に表示させることができる。結果として、設定入力補助装置を用いれば、オペレーターは、より広範囲にわたって設定対象の様子を確認できる。
【０１７３】
また、実施形態１及び実施形態２のカメラは、設定対象を拡大または縮小して撮像できると好ましい。すなわち、カメラは、ズーム機能を有すると好ましい。設定入力補助装置は、カメラに設定対象を拡大して撮像させることにより、設定対象のより詳細な部分を示す映像をカメラから取得できる。この映像を表示部１２０に表示させることにより、設定入力補助装置は、設定対象のより詳細な部分を映像としてオペレーターに提供できる。また、設定入力補助装置は、カメラに設定対象を縮小して撮像させることにより、設定対象のより広範囲を示す映像をカメラから取得できる。この映像を表示部１２０に表示させることにより、設定入力補助装置は、設定対象のより広範囲を映像としてオペレーターに提供できる。
【０１７４】
また、カメラは、設定対象に対して回動または移動できると好ましい。すなわち、カメラは、首振り機構や、スライド機構を介して印刷機本体９００に設けられると好ましい。設定入力補助装置は、この首振り機構の動作や、スライド機構の動作を制御する。これにより、設定入力補助装置は、１つのカメラから、設定対象のより広範囲を示す映像を取得できる。この映像を表示部１２０に表示させることにより、設定入力補助装置は、設定対象のより広範囲を映像としてオペレーターに提供できる。なお、以下の説明では、カメラは、首振り機構を介して印刷機本体９００に設けられる場合を説明する。
【０１７５】
図１２は、カメラ制御画面が表示されているときの表示部を模式的に示す構成図である。設定入力補助装置は、例えば、図１２に示すようなカメラ制御画面を表示部１２０に表示させる。カメラ制御画面には、映像表示部５１と、カメラ切替ボタン５２と、パン／チルト切替ボタン５３と、回動ボタン５４とが含まれる。映像表示部５１は、各カメラが現在撮像している映像を表示する部分である。カメラ切替ボタン５２は、第１カメラ１５１から第４カメラ１５４の中から１つのカメラを選択するためのボタンである。カメラ切替ボタン５２が操作されると、設定入力補助装置は、首振り機構の制御対象を、カメラ切替ボタン５２で選択されたカメラに切り替える。また、設定入力補助装置は、映像表示部５１に表示させる映像を、カメラ切替ボタン５２で選択されたカメラが撮像した映像に切り替える。
【０１７６】
パン／チルト切替ボタン５３及び回動ボタン５４は、カメラ切替ボタン５２で選択されているカメラを回動させるためのボタンである。さらに具体的には、パン／チルト切替ボタン５３は、各カメラの回動方向を切り替えるためのボタンである。回動ボタン５４は、各カメラを回動させる角度を調節するためのボタンである。設定入力補助装置は、回動ボタン５４が操作されると、パン／チルト切替ボタン５３で選択されている方向に、回動ボタン５４で指定された角度分、カメラ切替ボタン５２で選択されているカメラを回動させる。
【０１７７】
ここで、設定入力補助装置は、各カメラの撮像方向を記憶装置１６１にあらかじめ格納させておくと好ましい。撮像方向とは、設定対象に対するカメラの角度である。この場合、設定入力補助装置は、例えば、カメラ制御画面に登録ボタン５５を表示させる。設定入力補助装置は、登録ボタン５５が操作されると、現在、カメラ切替ボタン５２で選択されているカメラの撮像方向を記憶装置１６１に格納させる。設定入力補助装置は、オペレーターがカメラの首振り機構を制御する際に、記憶装置１６１に格納されている複数の撮像方向を取得する。そして、設定入力補助装置は、現在のカメラの撮像方向を、記憶装置１６１から取得した撮像方向と一致するように、首振り機構の動作を制御する。これにより、設定入力補助装置は、カメラの首振り機構の動作を制御する際のオペレーターの作業量を低減できる。
【０１７８】
ここで、固定型のカメラは、首振り機構やスライド機構を有するカメラよりも安価である。よって、設定入力補助装置は、安価である固定型のカメラを１つの設定対象に複数設けられることで、印刷機１の製造に要するコストを低減できる。一方、首振り機構やスライド機構を有するカメラは、固定型のカメラよりも、設定対象の広範囲を撮像できる。よって、設定入力補助装置は、設定対象の広範囲をオペレーターに映像として提供するために必要なカメラの数を低減できる。結果として、設定入力補助装置は、印刷機１の構造をシンプルにできる可能性や、印刷機１の大きさを低減できる可能性がある。
【０１７９】
（付記項１）
被記録媒体に印刷を施す印刷機本体に設けられて、前記印刷機本体を構成する一部である設定対象を撮像するカメラと、
前記設定対象を制御するために必要な情報を表示する少なくとも１つの表示部と、
が接続される設定入力補助装置であって、
前記設定入力補助装置は、
前記設定対象の設定をこれから開始する操作を補助する画像が表示される設定開始操作補助域を前記表示部に表示し、
前記設定対象の設定をこれから開始する操作に基づいて、
前記設定対象の映像と、
前記設定対象を制御するための設定値の入力を補助する画像を表示する設定操作補助域と、
を前記表示部に表示することを特徴とする設定入力補助装置。
（付記項２）
前記設定入力補助装置は、
前記設定対象の設定をこれから開始する操作がなされると、設定操作開始信号を取得し、
前記設定操作開始信号を取得すると、
前記設定対象の映像と、
前記設定操作補助域と、
を前記表示部に表示することを特徴とする付記項１に記載の設定入力補助装置。
（付記項３）
前記設定対象は複数存在し、
前記カメラは、複数の前記設定対象にそれぞれ設けられ、
前記複数の前記設定対象のうちの１つである特定設定対象の設定をこれから開始する際に取得する信号であって、前記設定操作開始信号の１つである特定設定操作開始信号を取得すると、
前記特定設定対象の映像と、
前記設定操作補助域として、前記特定設定対象を制御するための設定値の入力を補助する画像を表示する特定設定操作補助域と、
を前記表示部に表示することを特徴とする付記項２に記載の設定入力補助装置。
（付記項４）
前記設定操作開始信号を取得すると、
あらかじめ設定された前記設定値を選択する部分であるプリセット選択部を前記表示部に表示することを特徴とする付記項２または付記項３に記載の設定入力補助装置。
（付記項５）
前記カメラが撮像した映像を記憶する記憶手段を備え、
前記プリセット選択部に表示されている前記設定値のリストのうちの特定の設定値が選択されると、選択された設定値で被記録媒体が前記印刷機本体を走行した際に前記カメラが撮像した映像を、前記記憶手段から取得して前記表示部に表示させることを特徴とする付記項４に記載の設定入力補助装置。
（付記項６）
前記記憶手段は、複数の被記録媒体が順次走行する様子が撮像された映像から、特定の被記録媒体が撮像された部分を抽出するための特定情報を格納することを特徴とする付記項５に記載の設定入力補助装置。
（付記項７）
前記複数の被記録媒体の中から特定の被記録媒体を指定する操作がなされると、前記特定情報に基づいて、前記カメラが撮像した映像から前記特定の被記録媒体が撮像された部分を抽出し、前記特定の被記録媒体が撮像された部分の映像を前記表示部に表示させることを特徴とする付記項６に記載の設定入力補助装置。
（付記項８）
前記カメラが複数設けられ、
前記複数の被記録媒体の中から特定の被記録媒体を指定する操作がなされると、前記特定情報に基づいて、前記カメラが撮像した映像から前記特定の被記録媒体が撮像された部分を前記カメラ毎に特定し、前記特定の被記録媒体が撮像された部分の映像を前記カメラ毎に前記表示部に表示させることを特徴とする付記項７に記載の設定入力補助装置。
（付記項９）
前記特定の被記録媒体が撮像された部分の映像を前記表示部に表示させる際、前記特定の被記録媒体が撮像された時の印刷条件を前記表示部に表示させることを特徴とする付記項７または付記項８に記載の設定入力補助装置。
（付記項１０）
前記選択された設定値で被記録媒体が前記印刷機本体を走行した際に前記カメラが撮像した映像と共に、前記カメラが現在撮像している映像を前記表示部に表示させることを特徴とする付記項５から付記項９のいずれか一項に記載の設定入力補助装置。
（付記項１１）
前記プリセット選択部に表示される前記リストに含まれる複数の前記設定値を印刷条件に基づいて並べ替えて前記表示部に表示させることと、
前記複数の前記設定値に対して前記印刷条件で絞り込み検索を行い、前記絞り込み検索で該当した設定値を前記表示部に表示させることと、
のうちの少なくとも１つを実行することを特徴とする付記項４から付記項１０のいずれか一項に記載の設定入力補助装置。
（付記項１２）
前記印刷条件は、被記録媒体が前記印刷機本体を走行する速度と、前記被記録媒体の平面寸法と、前記被記録媒体の厚さと、前記被記録媒体の種類と、前記印刷機本体が前記被記録媒体に印刷を施す際に用いられる色数と、のうちの少なくとも１つであることを特徴とする付記項１１に記載の設定入力補助装置。
（付記項１３）
前記カメラが撮像した映像のうちの少なくとも一部を、前記設定入力補助装置が接続される通信回線を介して前記設定入力補助装置の外部に提供することを特徴とする付記項２から付記項１２のいずれか一項に記載の設定入力補助装置。
（付記項１４）
前記印刷機本体を構成し、前記被記録媒体に印刷を施す印刷部は、
前記被記録媒体の被記録面を反転させる反転部と、
前記反転部を走行する前記被記録媒体に向かって空気を噴出する反転部用空気噴出装置と、
を含んで構成され、
前記カメラは、反転部の部分のうち、前記反転部用空気噴出装置が噴出する前記空気が導かれる部分を撮像し、
前記設定入力補助装置は、前記反転部用空気噴出装置が噴出する前記空気の流量を調節するための信号であって、前記設定操作開始信号の１つである反転部用空気噴出装置設定操作信号を取得すると、
前記反転部用空気噴出装置が噴出する前記空気が導かれる部分の映像と、
前記反転部用空気噴出装置を制御して前記流量を調節するための設定値を入力する部分である流量設定用の前記設定操作補助域と、
を前記表示部に表示することを特徴とする付記項２から付記項１３のいずれか一項に記載の設定入力補助装置。
（付記項１５）
前記カメラが撮像した映像を、１以下の倍速で前記表示部に表示させることを特徴とする付記項１から付記項１４のいずれか一項に記載の設定入力補助装置。
（付記項１６）
前記カメラは、１つの前記設定対象に、複数設けられることを特徴とする付記項１から付記項１５のいずれか一項に記載の設定入力補助装置。
（付記項１７）
前記カメラは、前記設定対象を拡大または縮小して撮像できることを特徴とする付記項１から付記項１６のいずれか一項に記載の設定入力補助装置。
（付記項１８）
前記カメラは、前記設定対象に対して回動または移動できることを特徴とする付記項１から付記項１７のいずれか一項に記載の設定入力補助装置。
【産業上の利用可能性】
【０１８０】
このように、設定入力補助装置は、オペレーターが設定対象の設定値を入力するものに有用であり、オペレーターの作業量を低減することに適している。
【符号の説明】
【０１８１】
１  印刷機
３１  備考表示部
３２  紙指定部
３３  拡大映像表示部
３４  設定対象映像表示部
４０  プリセット選択部
４１  登録ボタン
４２  読出ボタン
４３  候補表示ボタン
４４  全体表示ボタン
４５  紙サイズ絞込ボタン
４６  色数絞込ボタン
４７  紙種絞込ボタン
４８  紙厚絞込ボタン
４９  印刷速度絞込ボタン
５０  比較ボタン
５１  映像表示部
５２  カメラ切替ボタン
５３  パン／チルト切替ボタン
５４  回動ボタン
５５  登録ボタン
１００  設定入力補助装置
１１０  入力部
１２０  表示部
１３１  第１映像表示部
１３２  第２映像表示部
１３３  第３映像表示部
１３４  第４映像表示部
１３５  全体表示部
１３６  設定対象映像表示部
１３８  録画時間表示部
１４０  ボタン類
１４１  設定ボタン
１４１ａ  昇降装置設定ボタン
１４１ｂ  紙送り装置用空気噴出装置設定ボタン
１４１ｃ  反転部用空気噴出装置設定ボタン
１４１ｄ  排紙部用第１空気噴出装置設定ボタン
１４１ｅ  排紙部用第２空気噴出装置設定ボタン
１４２  印刷開始ボタン
１４３  印刷停止ボタン
１４４  録画開始ボタン
１４５  録画停止ボタン
１４６  再生ボタン
１４７  設定操作補助域
１４８  プリセット選択部
１５０  撮像部
１５１  第１カメラ
１５２  第２カメラ
１５３  第３カメラ
１５４  第４カメラ
１６０  カメラサーバ
１６１  記憶装置
１６２  着脱可能記憶装置接続装置
１６３  通信回線接続装置
１７０  紙送り装置用空気噴出装置
１７１  噴出口
１８０  反転部用空気噴出装置
１８１  反転部用第１空気噴出装置
１８２  反転部用第２空気噴出装置
１８３  反転部用第３空気噴出装置
１８４  反転部用第４空気噴出装置
１９０  排紙部用空気噴出装置
１９１  排紙部用第１空気噴出装置
１９２  排紙部用第２空気噴出装置
２００  印刷機制御装置
８００  パーソナルコンピュータ
９００  印刷機本体
９０１  カバー
９１０  給紙部
９１１  紙積装置
９２０  紙送り装置
９２１  案内板
９２２  前当て
９２３  紙押さえ部材
９２３ａ  昇降装置
９２４  スインググリッパー
９２４ａ  回動軸
９２４ｂ  グリッパー側爪
９３０  印刷部
９３１  第１印刷ユニット
９３２  第２印刷ユニット
９３３  第３印刷ユニット
９３４  第４印刷ユニット
９４０  胴群
９４１  中間胴
９４２  版胴
９４３  ブランケット胴
９４４  圧胴
９５０  反転部
９５１  反転中間胴
９５２  反転倍胴
９５３  反転胴
９６０  排紙部
９６１  排紙台
９６２  チェーン
９６３  排紙胴
９６４  従動軸
９６５  グリッパー
９６６  チャンバーガイド
Ｓ  紙
Ｓｂ  咥え尻側
Ｓｔ  咥え側
【図１】
2010188722.tif 000003
【図２】
2010188722.tif 000004
【図３】
2010188722.tif 000005
【図４】
2010188722.tif 000006
【図５】
2010188722.tif 000007
【図６】
2010188722.tif 000008
【図７】
2010188722.tif 000009
【図８】
2010188722.tif 000010
【図９】
2010188722.tif 000011
【図１０】
2010188722.tif 000012
【図１１】
2010188722.tif 000013
【図１２】
2010188722.tif 000014